(57)【要約】【課題】鏡により実現される機能を有し、かつ、五感により認識可能な情報を出力して五感を刺激することができるキャビネットを提供すること。【解決手段】構成部材により中空を有する略箱状に形成されるキャビネットは、略箱状の前面構成部材の少なくとも一部に鏡を備え、前面構成部材を開放した状態において、五感により認識可能な情報を出力する情報出力装置を略箱状の内面側の構成部材に設ける。【選択図】図２
0003176087.tif 000002
【実用新案登録請求の範囲】
【請求項１】
構成部材により中空を有する略箱状に形成されるキャビネットであって、
前記略箱状の前面構成部材の少なくとも一部に鏡を備え、
前記前面構成部材を開放した状態において、五感により認識可能な情報を出力する情報出力装置を前記略箱状の内面側の前記構成部材に設けることを特徴とするキャビネット。
【請求項２】
前記構成部材を前記略箱状の外面側の被取付部材に対して取り付ける取付部を備えることを特徴とする請求項１記載のキャビネット。
【考案の詳細な説明】
【技術分野】
【０００１】
本考案は、鏡及び五感により認識可能な情報を出力する情報出力装置を備えたキャビネットに関する。
【背景技術】
【０００２】
関連技術として、書庫型本体と、両開き扉と、丁番と、大型取手と、天板と、内部にスライドレールと、テーブル天板と、スライド扉と、棚板と、キャスターから構成される移動式ワークステーションがある（特許文献１参照）。
書庫型本体と、両開き扉について丁番を装着固定することで、両開き扉を９０度開くと扉がスクリーン機能を有している。
また、書庫型本体に大型取手と、天板を装着固定することで、押しても引いても移動することが可能となっている。さらに、衝突保護材の役割をはたしている。
【先行技術文献】
【特許文献】
【０００３】
【特許文献１】登録実用新案第３１６６３３１号公報
【考案の概要】
【考案が解決しようとする課題】
【０００４】
しかしながら、上記の関連技術は、両開き扉に液晶モニタを取り付けてスクリーン機能を実現するものであり、その他の構成部材に液晶モニタ等を取り付けた種々の態様で見るものの五感に訴えるものではない。
【０００５】
また、前部の扉等に鏡を設けてその機能を発揮したり、鏡に付された模様により美観等を生じるものでもない。
【０００６】
本考案の目的は、鏡により実現される機能を有し、かつ、五感により認識可能な情報を出力して五感を刺激するキャビネットを提供することにある。
【課題を解決するための手段】
【０００７】
本考案の第一のキャビネットは、構成部材により中空を有する略箱状に形成されるキャビネットであって、略箱状の前面構成部材の少なくとも一部に鏡を備え、前面構成部材を開放した状態において、五感により認識可能な情報を出力する情報出力装置を略箱状の内面側の構成部材に設けることを特徴とする。
【０００８】
前部構成部材の少なくとも一部に鏡を有することにより、前部の扉等に鏡を設けてミラー機能を発揮させることができる。また、鏡にエッチング等で模様を付すことにより美観等を生じさせることができる。
【０００９】
また、五感により認識可能な情報を出力する情報出力装置を構成部材に設けることにより、例えば、液晶モニタ等により画像データを表示することで視覚による美観を生じさせることができる。又は、スピーカ等により音声データを報知することで聴覚による心地良さを実現することができる。
【００１０】
本考案の第二のキャビネットは、第一のキャビネットにおいて、構成部材を略箱状の外面側の被取付部材に対して取り付ける取付部を備えることを特徴とする。
【００１１】
壁や棚等の被取付部材にキャビネットの構成部材を取り付ける取付部を備えることにより、壁や棚等にかけることができ、自由な位置に配置することが可能となる。
【考案の効果】
【００１２】
本考案によれば、鏡により実現される機能を有し、かつ、五感により認識可能な情報を出力して五感を刺激するキャビネットを提供することができる。
【図面の簡単な説明】
【００１３】
【図１】本考案の実施の形態に係る鏡を備えるキャビネットを示す図である。
【図２】本考案の実施の形態に係るモニタを備えるキャビネットを示す図である。
【図３】本考案の実施の形態に係るモニタの取付手法を示す図である。
【図４】本考案の実施の形態に係るキャビネットの一部の下面手前側から視た斜視図である。
【図５】本考案の実施の形態に係るキャビネットの取付部を示す図である。
【考案を実施するための形態】
【００１４】
以下、本考案の一実施の形態を図面を参照しつつ説明する。本実施形態のキャビネットＣを、図１及び図２を参照して説明する。
【００１５】
キャビネットＣは、前面１と、後面２と、右側面３と、左側面４と、上面５と、下面（底面）６からなる平板状の６面をなすアクリル板等により中空を有する略箱状に形成されている。キャビネットＣの縦横、奥行きの寸法は任意であるが、ここでは縦６０ｃｍ、横７０ｃｍ、奥行き１５ｃｍとする。アクリル板等の厚さ寸法も任意であるが、ここでは約２ｃｍとする。なお、一般にベニヤ板は軽いが強度がなく、樹脂製のアクリル板・鉄板等が好適である。
【００１６】
図１に示すように、前面１は、鏡部１１及び把持部１２を備えている。鏡部１１の大きさ、位置、形状等は任意である。鏡部１１によりミラー機能の利便性を実現できる。また、鏡部１１の一部には、エッチング１１ａが施されている。例えば、記念日や家族の思い出を描いたり、宗教的な十字架やイエス像、マリア像を描いたり、自然の風景等を描くことで看者に心地よい美観をもたらすことができる。把持部１２を手で把持して後述するスライド動作を行うことができる。
【００１７】
前面１は、既知のスライド機構により左右方向に平行にスライドさせて開放可能に構成されている。把持部１２を手で把持して左右方向に押圧してスライドさせ、前面１を開放することで、中空を有する略箱状のキャビネットＣの内部空間及び各面の内面側が露見する。なお、蝶番により前後方向に開閉可能であってもよいし、観音開きが可能であってもよい。手動でなく、リモコン装置等による遠隔操作でスライド可能に構成されていてもよい。
【００１８】
図２（理解の容易化のために前面部１を省略）に示すように、後面２の内面側には、薄型のモニタ装置（デジタルフォトフレーム）２１が取り付けられている（図３も参照）。モニタ装置２１の液晶画面等の表示部２１ａが開放前の前面部１に対向する位置に設けられている。モニタ装置２１及び表示部２１ａの大きさ、位置、形状、材質等は適宜のものが選択されてよい。モニタ装置２１及び表示部２１ａが大型化すると看者に与えるインパクトは大きくなる。なお、モニタ装置２１は文字・画像（静止画・動画）等の視覚に訴える情報のみでなく、音声等の聴覚に訴える情報を出力することであってもよい。さらに、香り、水分等の臭覚、触覚、味覚等に訴えるものを出力することであってもよい。図示しないリモコン装置により無線で操作可能である。
【００１９】
図４（理解の容易化のために前面部１を省略）は、キャビネットＣの下面６手前側から視た斜視図である
【００２０】
図５は、キャビネットＣの取付部を示す図である。壁や棚等の被取付部材にキャビネットＣの６面をなすアクリル板等を取り付ける取付部２２ａ、２２ｂ等が設けられている。取付部２２ａ、２２ｂ等により、壁や棚等にかけることができ、キャビネットＣを自由な位置に配置することが可能となる。取付部２２ａ、２２ｂ等の大きさ、位置、形状、個数等は特に限定されないが、ここでは、コンクリート用のネジ等によりコンクリートの壁面であっても取り付け可能としている。
【００２１】
上記のキャビネットＣは、室内はもちろん利用する者の趣向に合わせて好みの場所・位置に設けることができる。
【００２２】
なお、キャビネットＣの形状は略箱状に限定されず、円形等であってもよく、縁飾りや、各面から延伸する各種の部材等が取り付けられていてもよい。
【００２３】
その他、一々例示はしないが、本考案は、その趣旨を逸脱しない範囲内において、各構成部分の大きさや形状を含む種々の変更が加えられて実施されてよい。
【符号の説明】
【００２４】
Ｃ                キャビネット
１                前面
２                後面
３                右側面
４                左側面
５                上面
６                下面（底面）
１１              鏡部
１１ａ            エッチング
１２              把持部
２１              モニタ装置
２１ａ            表示部
２２ａ、２２ｂ    取付部
【図１】
0003176087.tif 000003
【図２】
0003176087.tif 000004
【図３】
0003176087.tif 000005
【図４】
0003176087.tif 000006
【図５】
0003176087.tif 000007